(57)【要約】【課題】  各着用者の体型に対応することができると共に、着用者の臀部の外側に贅肉が流れることを抑制して、ヒップアップの補整効果を得ることができるガードルを提供する。【解決手段】  ガードル１００は、フロントパネル１０と、まち２０と、ベース生地３０と、まち２０に対応して切り欠かれた第１の切欠き領域４１ａを有し、当該第１の切欠き領域４１ａの中心線Ｏ１から略同一の長さであり異なる幅である第１の帯状部分４２及び第２の帯状部分４３が下方縁部４２ｂ，４３ｂを略Ｗ字状とし、当該第１の帯状部分４２よりも幅広い第２の帯状部分４３が当該中心線Ｏ１上の第１の中央部分４４から切り欠かれた第２の切欠き領域４１ｂを有する伸縮性素材からなる第１の当布４０と、第１の当布４０の中心線Ｏ１を基準として線対称の平面形状である第２の当布５０と、を備える。【選択図】        図１
2014088635.tif 000002
【特許請求の範囲】
【請求項１】
着用者の腹部を押さえる当布である伸縮性素材からなるフロントパネルと、
股及び内股の部分の布地である伸縮性素材からなるまちと、
前記フロントパネル及びまちと共に着用者の腹部及び臀部を被覆する伸縮性素材からなる左右対称のベース生地と、
前記ベース生地の中心線から略同一の長さであり異なる幅である第１の帯状部分及び第２の帯状部分から構成され、当該第１の帯状部分よりも幅広い第２の帯状部分が当該中心線上の中央部分から切り欠かれた切欠き領域を有する伸縮性素材からなる第１の当布と、
前記ベース生地の中心線を基準として前記第１の当布と線対称の平面形状であり、前記ベース生地の中心線から略同一の長さであり異なる幅である第３の帯状部分及び第４の帯状部分から構成され、当該第３の帯状部分よりも幅広い第４の帯状部分が当該中心線上の中央部分から切り欠かれた切欠き領域を有する伸縮性素材からなる第２の当布と、
を備え、
前記第１の当布の第１の帯状部分及び前記第２の当布の第３の帯状部分における各側縁部が、前記フロントパネルの各側縁部にそれぞれ縫製され、
前記第１の当布の第２の帯状部分及び前記第２の当布の第４の帯状部分における各側縁部が、当該第１の当布及び第２の当布を前記ベース生地の後ろ身頃側にそれぞれ巻回させて、前記フロントパネルの各側縁部にそれぞれ縫製されることを特徴とするガードル。
【請求項２】
前記請求項１に記載のガードルにおいて、
前記第１の当布は、前記第２の帯状部分の上方縁部を前記ベース生地の上方縁部に一致させ、前記フロントパネルの一側縁部に前記第１の帯状部分の一側縁部を一致させ、前記フロントパネルの他側縁部に前記第２の帯状部分の一側縁部を一致させ、前記第１の当布の中心線上における前記第２の帯状部分の他側縁部を前記ベース生地の後ろ身頃の略中央に一致させて、縫製されており、
前記第２の当布は、前記第４の帯状部分の上方縁部を前記ベース生地の上方縁部に一致させ、前記フロントパネルの他側縁部に前記第３の帯状部分の一側縁部を一致させ、前記フロントパネルの一側縁部に前記第４の帯状部分の一側縁部を一致させ、前記第２の当布の中心線上における前記第４の帯状部分の他側縁部を前記ベース生地の後ろ身頃の略中央に一致させて、縫製されていることを特徴とすることを特徴とするガードル。
【請求項３】
前記請求項１又は２に記載のガードルにおいて、
前記第１の当布の第２の帯状部分における下方縁部が、前記第２の当布に縫製され、前記ベース生地に縫製されておらず、
前記第２の当布の第４の帯状部分における下方縁部が、前記第１の当布に縫製され、前記ベース生地に縫製されていないことを特徴とするガードル。
【請求項４】
前記請求項１乃至３のいずれかに記載のガードルにおいて、
前記第１の当布の第１の帯状部分における上方縁部が、前記ベース生地の前身頃上の前記第２の当布に縫製され、当該ベース生地の前身頃に縫製されておらず、
前記第２の当布の第３の帯状部分における上方縁部が、前記ベース生地の前身頃上の前記第１の当布に縫製され、当該ベース生地の前身頃に縫製されていないことを特徴とするガードル。
【請求項５】
前記請求項１乃至４のいずれかに記載のガードルにおいて、
前記フロントパネルが二枚の伸縮性素材を重ねて構成され、当該フロントパネルの上方縁部をなす二枚の伸縮性素材の縁部同士が縫製されていないことを特徴とするガードル。
【請求項６】
前記請求項１乃至５のいずれかに記載のガードルにおいて、
前記フロントパネル、まち、ベース生地、第１の当布及び第２の当布の伸縮性素材が、フリーカット素材であることを特徴とするガードル。
【発明の詳細な説明】
【技術分野】
【０００１】
この発明は、着用者の臀部（ヒップ）に対して補整機能を有するガードルに関するものである。
【背景技術】
【０００２】
従来の股部を有する衣類においては、伸縮性を有する表布と、臀部側において少なくとも左右膨出部の頂点を被覆しないように上記表布の裏面側に取り付けられる伸縮性を有する裏打ち布と、臀部の左右膨出部の下端の臀溝に沿って各最下端点より股部側および脇側へと左右両側に延在し、上下に一定の幅を有する太幅で、その周縁を上記表布あるいは裏返ち布に縫着して取り付けている伸縮性バンドとからなり、該伸縮性バンドで面状にヒップを押し上げると共に、裏返ち布で膨出部の周縁部を押さえ、膨出部の頂点近傍は表布だけとして、膨らみを潰さないようにしている（例えば、特許文献１参照）。
【先行技術文献】
【特許文献】
【０００３】
【特許文献１】実用新案登録第３００３９６１号公報
【発明の概要】
【発明が解決しようとする課題】
【０００４】
従来の股部を有する衣類は、臀部の左右膨出部の頂点付近に臀部裏打ち布で被覆されていない切除部分が、臀部頂点切除ラインを本体表布に縫着して構成されるため、略一定の面積であり、各着用者の体型に対応することができず、着用者の体型の個人差に応じて異なるサイズ展開が必要になるという課題がある。
また、従来の股部を有する衣類は、伸縮性バンドにより膨出部を下端より強く上向きに押し上げるのであるが、着用者の臀部の外側から中央側への方向に力が働き難いため、臀部の外側に贅肉が流れ、ヒップアップの効果が不十分であるという課題がある。
【０００５】
この発明は、上述のような課題を解決するためになされたもので、各着用者の体型に対応することができると共に、臀部の十分な補整効果を得ることができるガードルを提供することを目的とする。
【課題を解決するための手段】
【０００６】
この発明に係るガードルにおいては、着用者の腹部を押さえる当布である伸縮性素材からなるフロントパネルと、股及び内股の部分の布地である伸縮性素材からなるまちと、フロントパネル及びまちと共に着用者の腹部及び臀部を被覆する伸縮性素材からなる左右対称のベース生地と、ベース生地の中心線から略同一の長さであり異なる幅である第１の帯状部分及び第２の帯状部分から構成され、当該第１の帯状部分よりも幅広い第２の帯状部分が当該中心線上の中央部分から切り欠かれた切欠き領域を有する伸縮性素材からなる第１の当布と、ベース生地の中心線を基準として第１の当布と線対称の平面形状であり、ベース生地の中心線から略同一の長さであり異なる幅である第３の帯状部分及び第４の帯状部分から構成され、当該第３の帯状部分よりも幅広い第４の帯状部分が当該中心線上の中央部分から切り欠かれた切欠き領域を有する伸縮性素材からなる第２の当布と、を備え、第１の当布の第１の帯状部分及び第２の当布の第３の帯状部分における各側縁部が、フロントパネルの各側縁部にそれぞれ縫製され、第１の当布の第２の帯状部分及び第２の当布の第４の帯状部分における各側縁部が、当該第１の当布及び第２の当布をベース生地の後ろ身頃側にそれぞれ巻回させて、フロントパネルの各側縁部にそれぞれ縫製されるものである。
【発明の効果】
【０００７】
この発明に係るガードルにおいては、各着用者の体型に対応することができると共に、着用者の臀部の外側に贅肉が流れることを抑制して、臀部の補整効果を得ることができる。
【図面の簡単な説明】
【０００８】
【図１】（ａ）は第１の実施形態に係るガードルの正面図であり、（ｂ）は第１の実施形態に係るガードルの背面図である。
【図２】（ａ）は第１の実施形態に係るガードルの着用状態を示す正面図であり、（ｂ）は第１の実施形態に係るガードルの着用状態を示す背面図であり、（ｃ）は図１に示すガードルを着用者が着用して腰部を屈曲した状態における右後方からみた右後側斜視図である。
【図３】（ａ）は図１に示すベース生地を説明するためのパターンであり、（ｂ）は図１に示すフロントパネルを説明するためのパターンであり、（ｃ）は図１に示すまちを説明するためのパターンであり、（ｄ）は図１に示すまちに保持されるクロッチ布を説明するためのパターンである。
【図４】（ａ）は図１に示す第１の当布を説明するためのパターンであり、（ｂ）は図１に示す第２の当布を説明するためのパターンである。
【図５】（ａ）は図２（ａ）に示す第１の当布の巻回状態を説明するための正面図であり、（ｂ）は図２（ａ）に示す第２の当布の巻回状態を説明するための正面図であり、（ｃ）は図２（ｂ）に示す第１の当布の巻回状態を説明するための背面図であり、（ｄ）は図２（ｂ）に示す第２の当布の巻回状態を説明するための背面図であり、（ｅ）は図２（ｂ）に示す第１の当布及び第２の当布の作用効果を説明するための背面図である。
【図６】（ａ）は図１（ａ）に示すガードルの生地の重畳状態を説明するための正面図であり、（ｂ）は図１（ｂ）に示すガードルの生地の重畳状態を説明するための背面図である。
【発明を実施するための形態】
【０００９】
（本発明の第１の実施形態）
本実施形態に係るガードル１００は、ヒップアップ効果があり、ショーツのように直にはけるショーツガードルであり、裾丈による分類でスタンダードガードルとロングガードルとの中間に分類されるセミロングガードルを例に挙げて説明するが、この種類のガードルに限られるものではない。
【００１０】
他の種類のガードル１００としては、例えば、着用者２００の腹部や臀部（ヒップ）を補整して股下丈の短いショーツスタイルのショートガードルや、股下丈が４ｃｍから６ｃｍまでのスタンダードガードルや、着用者２００の腹部から大腿部までを無理なく整えて股下丈が１７ｃｍから２４ｃｍまでのロングガードルや、着用者２００のウエストより高い胃部に近いところからヒップまでを包み込むハイウエストガードルや、股下丈が足首まであるアンクルレングスガードルや、股下丈が膝下まであるニーアンダーレングスガードルなどが挙げられる。
【００１１】
ガードル１００は、図１及び図２に示すように、着用者２００の腹部を押さえる当布である伸縮性素材からなる左右対称のフロントパネル１０（図３（ｂ）参照）と、股及び内股の部分の布地である伸縮性素材からなる左右対称のまち２０（図３（ｃ）参照）と、当該フロントパネル１０及びまち２０と共に着用者２００の腹部及び臀部を被覆する伸縮性素材からなる左右対称のベース生地３０（図３（ａ）参照）と、伸縮性素材からなる後述する左右非対称の第１の当布４０（図４（ａ）参照）と、伸縮性素材からなる後述する左右非対称の第２の当布５０（図４（ｂ）参照）と、を備える。
また、まち２０は、股の部分の布地であるクロッチ布６０（図３（ｄ）参照）を保持したうえで、ベース生地３０の前身頃３１及び後ろ身頃３２間を繋ぎ、ガードル１００の内側面を構成する。
【００１２】
なお、図３及び図４においては、フロントパネル１０、まち２０、ベース生地３０、第１の当布４０、第２の当布５０及びクロッチ布６０における生地目方向１と、縫い代２とを図示しているが、生地目方向１及び縫い代２は、図１に示すように、ガードル１００の表地面に表れない。
【００１３】
また、図３及び図４においては、まち２０、ベース生地３０、第１の当布４０、第２の当布５０及びクロッチ布６０の縫い合わせのときに合致させる点を示す合印３ａと、ベース生地３０及び第１の当布４０の縫い合わせのときに合致させる点を示す合印３ｂ，３ｃ，３ｆと、ベース生地３０及び第２の当布５０の縫い合わせのときに合致させる点を示す合印３ｄ，３ｅ，３ｇと、を図示しているが、合印３ａ，３ｂ，３ｃ，３ｄ，３ｅ，３ｆ，３ｇは、図１に示すように、ガードル１００の表地面に表れない。
【００１４】
また、ガードル１００は、フロントパネル１０の両側縁部（一側縁部１１、他側縁部１２）とフロントパネル１０の両側縁部に対応するベース生地３０の縫い代２とで縫製され、クロッチ布６０の縫い代２とまち２０の縫い代２とまち２０の縫い代２に対応するベース生地３０の縫い代２とで合印３ａを一致させて縫製される。
【００１５】
なお、本実施形態に係るフロントパネル１０、まち２０、ベース生地３０、第１の当布４０及び第２の当布５０の伸縮性素材は、肌当たりが優しく柔軟性があり、裁ち目の始末が不要なフリーカット素材（切りっ放し素材）を用いている。これにより、本実施形態に係るガードル１００は、生地の縁（特に、腰天（上辺）、裾（下辺）、後述する第２の切欠き領域４１ｂ及び第４の切欠き領域５１ｂ）における段差の発生を防止して、アウターウェアに響かないと共に、着用者２００の日常動作における追従性及び肌触りを損なわず、締付感を解消した快適設計である。
【００１６】
特に、本実施形態に係るガードル１００は、後述する第１の当布４０及び第２の当布５０をベース生地３０上に重畳して構成されるため、フロントパネル１０、まち２０、ベース生地３０、第１の当布４０及び第２の当布５０の伸縮性素材に薄地のフリーカット素材を用いることにより、着用者２００の窮屈感（不快感）を抑制することができるという作用効果を奏する。
また、本実施形態に係るクロッチ布６０は、肌触りのよい綿製の天竺素材を用いているが、この素材に限られるものではない。
【００１７】
第１の当布４０は、図４（ａ）に示すように、まち２０に対応して切り欠かれた第１の切欠き領域４１ａを有し、当該第１の切欠き領域４１ａの中心線Ｏ１から略同一の長さであり異なる幅である第１の帯状部分４２及び第２の帯状部分４３が下方縁部（第１の帯状部分４２の下方縁部４２ｂ、第２の帯状部分４３の下方縁部４３ｂ）を略Ｗ字状とし、当該第１の帯状部分４２よりも幅広い第２の帯状部分４３が当該中心線Ｏ１上の中央部分（以下、第１の中央部分４４と称す）から切り欠かれた第２の切欠き領域４１ｂを有する。
【００１８】
また、第１の当布４０は、図１に示すように、第２の帯状部分４３の上方縁部４３ａをベース生地３０の上方縁部３０ａに一致させ、フロントパネル１０の一側縁部１１に第１の帯状部分４２の一側縁部４２ｃを一致させ、フロントパネル１０の他側縁部１２に第２の帯状部分４３の一側縁部４３ｃを一致させ、第１の当布４０の中心線Ｏ１上における第２の帯状部分４３の他側縁部４３ｄをベース生地３０の後ろ身頃３２の略中央（図３（ａ）に示す中心線Ｏ）に一致させて、縫製されている。
【００１９】
また、第１の当布４０の第２の帯状部分４３における下方縁部４３ｂは、図１（ｂ）に示すように、第２の当布５０に縫製され、ベース生地３０に縫製されていない。
【００２０】
さらに、第１の当布４０の第１の帯状部分４２における上方縁部４２ａは、図１（ａ）に示すように、ベース生地３０の前身頃３１上の第２の当布５０に縫製され、当該ベース生地３０の前身頃３１に縫製されていない。
【００２１】
第２の当布５０は、図４（ｂ）に示すように、第１の当布４０の中心線Ｏ１を基準として線対称の平面形状であり、まち２０に対応して切り欠かれた第３の切欠き領域５１ａを有し、当該第３の切欠き領域５１ａの中心線Ｏ２から略同一の長さであり異なる幅である第３の帯状部分５２及び第４の帯状部分５３が下方縁部（第３の帯状部分５２の下方縁部５２ｂ、第４の帯状部分５３の下方縁部５３ｂ）を略Ｗ字状とし、当該第３の帯状部分５２よりも幅広い第４の帯状部分５３が当該中心線Ｏ２上の中央部分（以下、第２の中央部分５４と称す）から切り欠かれた第４の切欠き領域５１ｂを有する。
【００２２】
なお、本実施形態に係る第２の切欠き領域４１ｂ（第１の当布４０）及び第４の切欠き領域５１ｂ（第２の当布５０）のそれぞれの平面形状は、図４に示すように、一対の第２の切欠き領域４１ｂ及び第４の切欠き領域５１ｂが略ハート形（図１（ｂ）参照）をなす略半ハート形であるが、略円形をなす略半円形や、略楕円形をなす略半楕円形などであってもよい。
【００２３】
また、第２の当布５０は、図１に示すように、第４の帯状部分５３の上方縁部５３ａをベース生地３０の上方縁部３０ａに一致させ、フロントパネル１０の他側縁部１２に第３の帯状部分５２の一側縁部５２ｃを一致させ、フロントパネル１０の一側縁部１１に第４の帯状部分５３の一側縁部５３ｃを一致させ、第２の当布５０の中心線Ｏ２上における第４の帯状部分５３の他側縁部５３ｄをベース生地３０の後ろ身頃３２の略中央（図３（ａ）に示す中心線Ｏ）に一致させて、縫製されている。
【００２４】
また、第２の当布５０の第４の帯状部分５３における下方縁部５３ｂは、図１（ｂ）に示すように、第１の当布４０に縫製され、ベース生地３０に縫製されていない。
【００２５】
さらに、第２の当布５０の第３の帯状部分５２における上方縁部５２ａは、図１（ａ）に示すように、ベース生地３０の前身頃３１上の第１の当布４０に縫製され、当該ベース生地３０の前身頃３１に縫製されていない。
【００２６】
特に、本実施形態に係るガードル１００は、図１（ｂ）に示すように、ベース生地３０の後ろ身頃３２の中心線Ｏ上において、ベース生地３０と、第２の帯状部分４３の他側縁部４３ｄ（第１の当布４０の縫い代２）と、第４の帯状部分５３の他側縁部５３ｄ（第２の当布５０の縫い代２）と、で一括して縫製されている。
【００２７】
また、本実施形態に係るガードル１００は、まち２０の縫い代２と、まち２０の縫い代２に対応するベース生地３０の後ろ身頃３２の縫い代２と、第１の当布４０の第１の切欠き領域４１ａを構成する縫い代２と、第２の当布５０の第３の切欠き領域５１ａを構成する縫い代２と、で一括して縫製されている。
【００２８】
なお、フロントパネル１０は、薄地のフリーカット素材であるため、一枚の厚みでは、着用者２００の腹部を押さえる機能を十分に発揮することができないうえに、ベース生地３０と第１の当布４０又は第２の当布５０との重ね合わせによる二枚のフリーカット素材の厚みとの差が生じ、着用者２００の腰部に対するガードル１００の安定性を欠き、着用感を阻害する。
【００２９】
このため、本実施形態に係るフロントパネル１０は、同一の平面形状（図３（ｂ）参照）である二枚の伸縮性素材を重ねて構成されていることにより、着用者２００の腹部を押さえる機能を十分に発揮させると共に、着用者２００の腰部に対するガードル１００の安定感を向上させることができるという作用効果を奏する。
なお、フロントパネル１０は、着用者２００の腹部を押さえる機能をさらに十分に発揮させる（着用者２００の腰部に対するガードル１００の安定感を犠牲にしてもよい）のであれば、三枚以上のフリーカット素材を重ねて構成してもよいし、フリーカット素材より伸縮性が低いパワー感のある素材一枚で構成してもよい。
【００３０】
また、本実施形態に係るガードル１００は、二枚のフロントパネル１０の上方縁部１３同士、ベース生地３０の上方縁部３０ａと第１の当布４０（第２の帯状部分４３）の上方縁部４３ａとの上方縁部同士、及び、ベース生地３０の上方縁部３０ａと第２の当布５０（第４の帯状部分５３）の上方縁部５３ａとの上方縁部同士を、ガードル１００の腰天（上辺）の全周に亘って縫製すると、一体となった二枚の伸縮性素材からなるガードル１００の腰天（上辺）により着用者２００の腹部を圧迫して着用感を阻害する。
【００３１】
このため、本実施形態に係るフロントパネル１０は、上方縁部１３をなす二枚の伸縮性素材の縁部同士が縫製されていないことにより、独立した二枚の伸縮性素材から上方縁部１３が構成されて、着用者２００の腹部に対する上方縁部１３からの押圧力が分散され、着用者２００の腹部への圧迫を抑制することができ、ガードル１００の着用感を向上させることができるという作用効果を奏する。
【００３２】
以上のような縫製により、本実施形態に係るガードル１００は、図６に示すように、ベース生地３０による一枚の伸縮性素材からなる一重領域（以下、第１の一重領域４ａと称す）と、まち２０（クロッチ布６０を除く）による一枚の伸縮性素材からなる一重領域（以下、第２の一重領域４ｂと称す）と、を備える。
【００３３】
また、本実施形態に係るガードル１００は、ベース生地３０上に第１の当布４０が重畳した二枚の伸縮性素材からなる二重領域（以下、第１の二重領域５ａと称す）と、ベース生地３０上に第２の当布５０が重畳した二枚の伸縮性素材からなる二重領域（以下、第２の二重領域５ｂと称す）と、フロントパネル１０による二枚の伸縮性素材からなる二重領域（以下、第３の二重領域５ｃと称す）と、を備える。
【００３４】
また、本実施形態に係るガードル１００は、ベース生地３０上に第１の当布４０が重畳し第１の当布４０上に第２の当布５０が重畳した３枚の伸縮性素材からなる三重領域６を備える。
【００３５】
この三重領域６は、３枚の伸縮性素材からなることにより、ガードル１００の各領域（第１の一重領域４ａ、第２の一重領域４ｂ、第１の二重領域５ａ、第２の二重領域５ｂ、第３の二重領域５ｃ、三重領域６）のうち最も緊締力の強い領域であると共に、着用者２００の臀溝に沿い、ガードル１００の側面視において、まち２０からフロントパネル１０に亘って斜め上方に延在する領域である。
【００３６】
そして、本実施形態に係るガードル１００は、第１の当布４０の第２の帯状部分４３における下方縁部４３ｂが、第２の当布５０に縫製され、ベース生地３０に縫製されておらず、第２の当布５０の第４の帯状部分５３における下方縁部５３ｂが、第１の当布４０に縫製され、ベース生地３０に縫製されていない。
【００３７】
すなわち、本実施形態に係るガードル１００は、ベース生地３０と第１の当布４０及び第２の当布５０との間において、下方縁部４２ｂ及び下方縁部４３ｂ側が開放した袋状である。
【００３８】
このため、三重領域６において、第１の当布４０及び第２の当布５０がベース生地３０から独立した生地となり、着用者２００が腰部を屈曲（前屈）した場合に（図２（ｃ）参照）、ベース生地３０に規制されることなく、図５（ｅ）の矢印で示すように、まち２０からフロントパネル１０に亘って斜め上方に力が作用して、着用者２００の臀部を効率よく上方に引き上げることができるという作用効果を奏する。
詳細には、図５（ｃ）の破線の矢印で示すように、第１の当布４０は、第１の帯状部分４２において、まち２０からフロントパネル１０の一側縁部１１に亘って斜め上方に締付力が作用すると共に、第２の帯状部分４３において、まち２０からフロントパネル１０の他側縁部１２に亘って締付力が作用し、第２の帯状部分４３の他側縁部４３ｄからフロントパネル１０の他側縁部１２に亘って締付力が作用する。
また、図５（ｄ）の実線の矢印で示すように、第２の当布５０は、第３の帯状部分５２において、まち２０からフロントパネル１０の他側縁部１２に亘って斜め上方に締付力が作用すると共に、第４の帯状部分５３において、まち２０からフロントパネル１０の一側縁部１１に亘って締付力が作用し、第４の帯状部分５３の他側縁部５３ｄからフロントパネル１０の一側縁部１１に亘って締付力が作用する。
そして、図５（ｅ）の矢印で示すように、着用者２００の臀部に対する第１の当布４０による締付力（破線の矢印）と、着用者２００の臀部に対する第２の当布５０による締付力（実線の矢印）との相乗効果により、着用者２００の臀部を効率よく上方に引き上げると共に、着用者２００の臀部の外側に広がった贅肉を引き寄せ、着用者２００の骨盤周りを引き締めることができるという作用効果を奏する。
【００３９】
また、本実施形態に係るガードル１００は、第１の当布４０の第１の帯状部分４２における上方縁部４２ａが、ベース生地３０の前身頃３１上の第２の当布５０に縫製され、当該ベース生地３０の前身頃３１に縫製されておらず、第２の当布５０の第３の帯状部分５２における上方縁部５２ａが、ベース生地３０の前身頃３１上の第１の当布４０に縫製され、当該ベース生地３０の前身頃３１に縫製されていないため、以下の作用効果を奏する。
【００４０】
本実施形態に係るガードル１００は、図１（ｂ）に示すように、第１の当布４０の第１の帯状部分４２における上方縁部４２ａが、ベース生地３０の後ろ身頃３２及び後ろ身頃３２上の第２の当布５０に対して広い範囲で縫製されておらず、第２の当布５０の第３の帯状部分５２における上方縁部５２ａが、ベース生地３０の後ろ身頃３２及び後ろ身頃３２上の第１の当布４０に対して広い範囲で縫製されていない。
【００４１】
すなわち、ガードル１００は、第２の切欠き領域４１ｂ及び第４の切欠き領域５１ｂ近傍にある三重領域６のベース生地３０、第１の当布４０及び第２の当布５０が互いに縫製されておらず独立している。
【００４２】
このため、第１の当布４０及び第２の当布５０は、ベース生地３０に対して各々スライドすることができるため、着用者２００の腰部の屈曲（前屈）及び伸展（後屈）に伴う臀部の動きに対応して、第２の切欠き領域４１ｂ及び第４の切欠き領域５１ｂの面積をそれぞれ広げたり狭めたりすると共に、着用者２００の臀部の湾曲面に応じて、立体的に沿うことができ、着用者２００の臀部を確実に包み込み支持することができる。
【００４３】
以上のように、本実施形態に係るガードル１００は、図５（ａ）及び図５（ｃ）に示すように、ベース生地３０とは別のパーツ生地（例えば、共生地）である第１の当布４０が、フロントパネルの他側縁部１２からベース生地３０の右身頃、後ろ身頃３２及び左身頃を経由してフロントパネルの一側縁部１１まで約３００度の広範囲でベース生地３０上に巻回される。
【００４４】
また、本実施形態に係るガードル１００は、図５（ｂ）及び図５（ｄ）に示すように、ベース生地３０とは別のパーツ生地（例えば、共生地）である第２の当布５０が、フロントパネルの一側縁部１１からベース生地３０の左身頃、後ろ身頃３２及び右身頃を経由してフロントパネルの他側縁部１２まで約３００度の広範囲でベース生地３０上に巻回される。
【００４５】
このため、本実施形態に係るガードル１００は、第１の当布４０の第１の帯状部分４２及び第２の当布５０の第３の帯状部分５２が、着用者２００の臀部下にある贅肉を引き上げると共に、第１の当布４０の第２の帯状部分４３及び第２の当布５０の第４の帯状部分５３が、着用者２００の臀部の外側に広がった贅肉を引き寄せ、着用者２００の骨盤周りを引き締めることができるという作用効果を奏する。
【００４６】
また、本実施形態に係るガードル１００は、第１の当布４０により、第２の帯状部分４３の一側縁部４３ｃがフロントパネル１０の他側縁部１２を引張り、第２の帯状部分４３の他側縁部４３ｄがベース生地３０の中心線Ｏ上における後ろ身頃３２を引張り、フロントパネル１０とベース生地３０の後ろ身頃３２との間を引き合うことになる。
また、本実施形態に係るガードル１００は、第２の当布５０により、第４の帯状部分５３の一側縁部５３ｃがフロントパネル１０の一側縁部１１を引張り、第４の帯状部分５３の他側縁部５３ｄがベース生地３０の中心線Ｏ上における後ろ身頃３２を引張り、フロントパネル１０とベース生地３０の後ろ身頃３２との間を引き合うことになる。
このため、本実施形態に係るガードル１００は、第２の帯状部分４３の一側縁部４３ｃ及び第４の帯状部分５３の一側縁部５３ｃがフロントパネル１０に引張荷重を加え、この引張荷重は、フロントパネル１０の面で分散され、押圧力として着用者２００の腹部に与えることができ、着用者２００の腹部を効果的に押さえることができる。
【００４７】
特に、本実施形態に係るガードル１００は、第１の当布４０及び第２の当布５０が、着用者２００の臀部における右半身又は左半身のそれぞれに対しての補整効果ではなく、右半身から左半身へと左半身から右半身へと襷掛けで広範囲に外側から中央（第２の切欠き領域４１ｂ、第４の切欠き領域５１ｂ）に引き寄せ、臀部の補整効果（引き寄せ効果）を効果的に得ることができ、立体的な丸みとボリュームのある美尻（丸いヒップ）を形成することができるという作用効果を奏する。
なお、この臀部の補整効果は、一枚の丸編地からなるガードルでは得ることができない、カットソーを用いた本実施形態に係るガードル１００特有の作用効果である。
【００４８】
また、本実施形態に係るガードル１００は、ベース生地３０と第１の当布４０（第１の帯状部分４２、第２の帯状部分４３）の下方縁部（下方縁部４２ｂ、下方縁部４３ｂ）及び第２の当布５０（第３の帯状部分５２、第４の帯状部分５３）の下方縁部（下方縁部５２ｂ、下方縁部５３ｂ）とが縫製されず、着用者２００の臀部に対応する領域における第１の当布４０と第２の当布５０とが縫製されないように、ベース生地３０、第１の当布４０及び第２の当布５０間で縫製部分が少なく、各部位の生地が他の部位の生地（縫製部分）により束縛されない自由な状態にある。
【００４９】
このため、本実施形態に係るガードル１００は、各部位の伸縮性を維持し（伸縮性を損なうことなく）、着用者２００の体型の個人差に関わらず、各部位の生地が柔軟に伸縮して、着用者２００の体型のフィットすると共に、縫製部分による厚みの増した生地による着用者２００の肌への食い込みや窮屈感を軽減することができるという作用効果を奏する。
【００５０】
なお、本実施形態に係るガードル１００は、第２の当布５０（第３の帯状部分５２、第４の帯状部分５３）が第１の当布４０（第１の帯状部分４２、第２の帯状部分４３）上に縫製される場合について説明したが、第１の当布４０が第２の当布５０上に縫製されてもよい。
【符号の説明】
【００５１】
１      生地目方向
２      縫い代
３ａ，３ｂ，３ｃ，３ｄ，３ｅ，３ｆ，３ｇ，３ｈ    合印
４ａ    第１の一重領域
４ｂ    第２の一重領域
５ａ    第１の二重領域
５ｂ    第２の二重領域
５ｃ    第３の二重領域
６      三重領域
１０    フロントパネル
１１    一側縁部
１２    他側縁部
１３    上方縁部
２０    まち
３０    ベース生地
３０ａ  上方縁部
３１    前身頃
３２    後ろ身頃
４０    第１の当布
４１ａ  第１の切欠き領域
４１ｂ  第２の切欠き領域
４２    第１の帯状部分
４２ａ  上方縁部
４２ｂ  下方縁部
４２ｃ  一側縁部
４３    第２の帯状部分
４３ａ  上方縁部
４３ｂ  下方縁部
４３ｃ  一側縁部
４３ｄ  他側縁部
４４    第１の中央部分
５０    第２の当布
５１ａ  第３の切欠き領域
５１ｂ  第４の切欠き領域
５２    第３の帯状部分
５２ａ  上方縁部
５２ｂ  下方縁部
５２ｃ  一側縁部
５３    第４の帯状部分
５３ａ  上方縁部
５３ｂ  下方縁部
５３ｃ  一側縁部
５３ｄ  他側縁部
５４    第２の中央部分
６０    クロッチ布
１００  ガードル
２００  着用者
【図１】
2014088635.tif 000003
【図２】
2014088635.tif 000004
【図３】
2014088635.tif 000005
【図４】
2014088635.tif 000006
【図５】
2014088635.tif 000007
【図６】
2014088635.tif 000008